(57)【特許請求の範囲】
【請求項１】
綴じるべき紙葉類を上面に配するための部材である用紙テーブル、及び前記紙葉類を貫通したステープルの貫通端部を当接面により折り曲げるための部材であるアンビルを備えたステープル受けユニットと、このステープル受けユニットに対向配置されステープルを保持可能なマガジン、及びこのマガジンに保持されたステープルを用紙テーブル方向に押し出す押刃を備えたステープル打ち出しユニットとを備えているステープラであって、前記ステープル受けユニットに、前記用紙テーブルの上面に配した紙葉類を衝き当てることが可能な奥行きゲージと、前記用紙テーブルの上面に配した紙葉類を用紙テーブルに向けて押圧することが可能な紙押さえとを、一体的に設けていることを特徴とするステープラ。
【請求項２】
一体的に設けられた前記奥行きゲージと前記紙押さえとの取付位置を変更可能にしている請求項１記載のステープラ。
【請求項３】
前記用紙テーブルの上面が、予め設定した折り曲げ稜線に沿って折り曲げられた前記紙葉類の折り曲げ稜線が対向する稜線を備えているとともに、前記紙押さえが前記用紙テーブルに添接させた前記紙葉類の折り曲げ稜線を挟んでその両側を押圧可能である請求項１又は２記載のステープラ。
【請求項４】
前記ステープル受けユニットと前記奥行きゲージとの間に、前記奥行きゲージを複数箇所の取付位置のいずれかに選択的に係止させるための節度機構を設けている請求項１、２又は３記載のステープラ。
【請求項５】
前記ステープル受けユニットに、前記奥行きゲージの前後方向位置を決定するための目盛を設けている請求項１、２又は３記載のステープラ。
【請求項６】
前記ステープル打ち出しユニット及びアンビルが、前記用紙テーブルの長手方向に直交する方向でステープルを打ち出してかしめる第１の姿勢と、前記用紙テーブルの長手方向に平行な方向でステープルを打ち出してかしめる第２の姿勢とを選択的にとることができる請求項１、２、３、４又は５記載のステープラ。
【請求項７】
前記紙押さえが、弾性変形することにより用紙テーブルから離間する方向に退避可能である請求項１、２、３、４又は５記載のステープラ。
【発明の詳細な説明】
【技術分野】
【０００１】
本発明は、紙葉類を綴じて冊子等を形成すべく用いられるステープラに関する。
【背景技術】
【０００２】
従来より、予め設定した折り曲げ稜線に沿って折り曲げた紙葉類を綴じることにより冊子等を形成する要望が広く存在する。この要望に対応すべく、種々の態様のステープラが考えられてきている。このようなステープラの例として、紙葉類の隅部でなく紙葉類の端縁から所定距離離間した折り曲げ稜線状にステープルを打ち込んで綴じるようにすべく、綴じるべき紙葉類を上面に配するための部材である用紙テーブルを備えたステープル受け部に、前記用紙テーブルの上面に配した紙葉類の位置決めを行うためのゲージを設けたものが挙げられる（例えば、特許文献１を参照）。
【０００３】
しかして、特許文献１記載のもののような従来のこの種のステープラにおいて、特にステープラを把持して使用する態様のものにおいては、ステープルを打ち込む動作中に紙葉類とステープラ（の用紙テーブル）とが相対移動してステープルを打ち込む位置がずれる不具合が発生しうる。
【先行技術文献】
【特許文献】
【０００４】
【特許文献１】特開平１１−２６２８７５号公報
【発明の概要】
【発明が解決しようとする課題】
【０００５】
本発明は以上の点に着目し、ステープラを把持し、ステープルにより紙葉類を綴じて冊子等を形成する際に、紙葉類上の打針位置を打針前に正確に確認し、ステープルを紙葉類の所望の位置に打ち込む操作を確実に行うことができるようにすることを目的とする。
【課題を解決するための手段】
【０００６】
すなわち本発明に係るステープラは、綴じるべき紙葉類を上面に配するための部材である用紙テーブル、及び前記紙葉類を貫通したステープルの貫通端部を当接面により折り曲げるための部材であるアンビルを備えたステープル受けユニットと、このステープル受けユニットに対向配置されステープルを保持可能なマガジン、及びこのマガジンに保持されたステープルを用紙テーブル方向に押し出す押刃を備えたステープル打ち出しユニットとを備えているステープラであって、前記ステープル受けユニットに、前記用紙テーブルの上面に配した紙葉類を衝き当てることが可能な奥行きゲージと、前記用紙テーブルの上面に配した紙葉類を用紙テーブルに向けて押圧することが可能な紙押さえとを、一体的に設けていることを特徴とする。
【０００７】
このようなものであれば、紙押さえと用紙テーブルとの間の空間に紙葉類を配し、その紙葉類を奥行きゲージに衝き当てる一連の動作により、紙葉類を紙押さえにより用紙テーブルに向けて押圧させた状態で紙葉類とアンビルとの間の位置決めを容易に行うことができ、しかも紙葉類を紙押さえにより用紙テーブルに向けて押圧させた状態でステープルを打ち込む動作を行うことによりこのステープラを把持して前記動作を行った場合であってもステープルを所望の位置に打ち込む動作を確実に行うことができる。
【０００８】
ステープルを紙葉類上における所望の位置に打針できるようにするための構成として、一体的に設けられた前記奥行きゲージと前記紙押さえとの取付位置を変更可能にしているものが挙げられる。
【０００９】
予め折り曲げ稜線を形成した紙葉類を綴じて冊子を形成する場合により有効な構成として、前記用紙テーブルの上面が、予め設定した折り曲げ稜線に沿って折り曲げられた前記紙葉類の折り曲げ稜線が対向する稜線を備えているとともに、前記紙押さえが前記用紙テーブルに添接させた前記紙葉類の折り曲げ稜線を挟んでその両側を押圧可能であるものが挙げられる。
【００１０】
前記奥行きゲージの前記ステープル受けユニットに対する位置決めを容易に行うことができるようにするための構成の一例として、前記ステープル受けユニットと前記奥行きゲージとの間に、前記奥行きゲージを複数箇所の取付位置のいずれかに選択的に係止させるための節度機構を設けているものが挙げられる。
【００１１】
また、前記奥行きゲージの前記ステープル受けユニットに対する位置決めを容易に行うことができるようにするための構成の他の一例として、前記ステープル受けユニットに、前記奥行きゲージの前後方向位置を決定するための目盛を設けているものが挙げられる。
【００１２】
このようなステープラを、冊子を形成するためだけでなく紙葉類の主に隅部にステープラを打ち込むことにより紙葉類を綴じる通常のステープラとしても好適に利用できるように知るための構成として、前記ステープル打ち出しユニット及びアンビルが、前記用紙テーブルの長手方向に直交する方向でステープルを打ち出してかしめる第１の姿勢と、前記用紙テーブルの長手方向に平行な方向でステープルを打ち出してかしめる第２の姿勢とを選択的にとることができるものが挙げられる。
【００１３】
そして、このようなステープラを利用して多数の紙葉類を綴じて冊子を形成する際に有効な構成として、前記紙押さえが、弾性変形することにより用紙テーブルから離間する方向に退避可能であるものが挙げられる。
【発明の効果】
【００１４】
本発明によれば、ステープラを把持し、ステープルにより紙葉類を綴じて冊子等を形成する際に、紙葉類上のステープルの打針位置を正確に確認できるようにすることができる。
【図面の簡単な説明】
【００１５】
【図１】本発明の一実施形態に係るステープラを示す全体斜視図。
【図２】同実施形態に係るステープラを示す側面図。
【図３】同実施形態に係るステープラを示す正面図。
【図４】図２におけるｘ−ｘ断面図。
【図５】同実施形態に係るステープラを示す分解斜視図。
【図６】同実施形態に係るステープラのステープル打ち出し態様を示す作用説明図。
【図７】同実施形態に係るステープラのステープル打ち出しユニット及びアンビルを第２の姿勢とした状態を示す全体斜視図。
【図８】同実施形態に係るステープラのステープル打ち出しユニット及びアンビルを第２の姿勢とした状態を示す側面図。
【図９】同実施形態に係るステープラのステープル打ち出しユニット及びアンビルを第２の姿勢とした状態を示す正面図。
【図１０】同実施形態に係るステープラのステープル打ち出しユニット及びアンビルを第２の姿勢とした状態でのステープル打ち出し態様を示す作用説明図。
【発明を実施するための形態】
【００１６】
本発明の一実施形態を、図１〜図１０を参照しつつ以下に述べる。
【００１７】
本実施形態に係るステープラＳは、図１〜図５及び図７〜図９に示すように、綴じるべき紙葉類Ｐを上面１２ａに配するための部材であり幅方向中央に稜線１２ｂを有する用紙テーブル１２、及び前記紙葉類Ｐを貫通したステープルの貫通端部を当接面により折り曲げるための部材であるアンビル１４を備えたステープル受けユニット１と、このステープル受けユニット１に対向配置され前記用紙テーブル１２の稜線１２ｂに沿うようにステープルを保持可能なマガジン２１、及びこのマガジン２１に保持されたステープルを用紙テーブル１２方向に押し出す押刃２２を備えたステープル打ち出しユニット２と、操作力を受け付けてこのステープル打ち出しユニット２に伝達するハンドル３とを備えている。また、本実施形態では、前記ステープル受けユニット１に、前記用紙テーブル１２の上面１２ａに配した紙葉類Ｐを衝き当てることが可能な奥行きゲージ５と、前記用紙テーブル１２の上面１２ａに配した紙葉類Ｐを用紙テーブル１２に向けて押圧することが可能な紙押さえ６とを、取付位置を一体的に変更可能に設けている。
【００１８】
前記ステープル受けユニット１は、図１〜図５及び図７〜図９に示すように、ベース１１と、このベース１１の上面１２ａに配してなる前記用紙テーブル１２と、前記ベース１１にアンビル台１３を介して取り付けられたアンビル１４と、前記ステープル打ち出しユニット２を軸支するための軸１６が取り付けられる軸受部材１５とを備えている。
【００１９】
前記ベース１１は、図１、図２、図４、図５、図７及び図８に示すように、上方に向けて、換言すれば前記ステープル打ち出しユニット２に向けて開口する形状を有する樹脂製の部材であり、基端側の下面にステープルを取り除くための部材であるリムーバ１１１が設けられている。また、押刃２２に対向する部位には、その外壁が上方に開口する円筒状をなし前記アンビル１４を上下方向に伸びる軸周りに９０°回転可能に取り付けるための部位であるアンビル台挿入部１１ａを設けている。このベース１１の側面には、前記奥行きゲージ５に設けた節度突起５３と係合可能な節度凹部１１ｘを互いに前後方向に離間させて複数設けている。さらに、アンビル台挿入部１１ａより基端側の上面１２ａの開口は、前記用紙テーブル１２により被覆されている。
【００２０】
前記用紙テーブル１２は、図１〜図５及び図７〜図９に示すように、幅方向中央に最も上方すなわち前記ステープル打ち出しユニット２に向かう側に突出した稜線１２ｂを有し正断面視逆Ｖ字状をなす部材である。また、この用紙テーブル１２は、予め折り曲げ稜線Ｐａを形成した紙葉類Ｐを綴じて冊子を形成する際に、この用紙テーブル１２の稜線１２ｂに紙葉類Ｐの折り曲げ稜線１２ｂを対向させた状態で上面１２ａに紙葉類Ｐを添接させてなるものである。さらに、この用紙テーブル１２には、前記奥行きゲージ５を前後方向に移動させる際に該奥行きゲージ５の移動方向を案内するための案内レール溝１２ｃを設けている。
【００２１】
前記アンビル台１３は、前記ベース１１のアンビル台挿入部１１ａに挿入される略円筒状の部材で、前記ベース１１に対して上下方向に伸びる軸周りに９０°回転可能である。すなわち、このアンビル台１３は、前記アンビル１４の折曲用当接面１４ａの長手方向に伸びる中心線がステープル受けユニット１の長手方向に直交する姿勢となるようにアンビル１４を保持する図１〜図６に示すような第１の姿勢と、前記アンビル１４の折曲用当接面１４ａの長手方向に伸びる中心線がステープル受けユニット１の長手方向に沿う姿勢となるようにアンビル１４を保持する図７〜図１０に示すような第２の姿勢とを選択的にとることができる。また、このアンビル台１３は、その上面１３ａにアンビル１４を取り付けるためのアンビル取付孔１３ｘを有する。
【００２２】
前記アンビル１４は、従来この種のステープラＳに用いられるものとして周知のものと同様の構成を有する。すなわち、その上面に折曲用当接面１４ａを形成してなる。また、このアンビル１４は、上述したように前記アンビル台１３のアンビル取付孔１３ｘ内に取り付けられ、前記アンビル台１３と一体的に回転移動することにより、折曲用当接面１４ａの長手方向に伸びる中心線がステープル受けユニット１の長手方向に直交する姿勢である図１〜図６に示すような第１の姿勢と、折曲用当接面１４ａの長手方向に伸びる中心線がステープル受けユニット１の長手方向に沿う姿勢である図７〜図１０に示すような第２の姿勢とを選択的にとることができる。
【００２３】
前記軸受部材１５は、ベース１１に取り付けられ、前記ステープル打ち出しユニット２及びハンドル３を軸支するための軸１６を保持するためのＵ字状の部材である。
【００２４】
前記ステープル打ち出しユニット２は、従来この種のステープラＳに用いられるものとして周知のものと同様の構成を有する。すなわち、図１〜図５及び図７〜図９に示すように、内部にステープルを格納可能なマガジン２１と、このマガジン２１内に格納されたステープルをアンビル１４に向けて押し出すための押刃２２と、この押刃２２を保持する押刃ベース２３とを備え、これらが一体的に前記ステープル受けユニット１及びハンドル３に対して９０°回転可能にハンドル３に取り付けられている。すなわち、このステープル打ち出しユニット２は、前記マガジン２１に格納されたステープルが前記ステープル受けユニット１の長手方向に直交する方向に沿って伸びる姿勢に保持される第１の姿勢と、前記マガジン２１に格納されたステープルが前記ステープル受けユニット１の長手方向に沿う方向に沿って伸びる姿勢に保持される第２の姿勢とを選択的にとり得る。
【００２５】
前記ハンドル３も、従来この種のステープラＳに用いられるものとして周知のものと同様の構成を有する。すなわち、図１〜図５及び図７〜図９に示すように、基端部を前記ステープル受けユニット１に軸支させてなるとともに、先端部において前記ステープル打ち出しユニット２を前記第１の姿勢と前記第２の姿勢との間で９０°回転可能に保持している。さらに詳述すると、この操作ハンドル３の先端部の下面には、前記ステープル打ち出しユニット２の押刃ベース２３の上面２３ａから上方に突出させて設けた軸部２４と係合可能な軸受穴３ｘが設けられている。そして、このハンドル３と前記ステープル受けユニット１との間には、前記第１の姿勢と前記第２の姿勢とのいずれかに選択的に係止させるための図示しない節度機構が設けられている。
【００２６】
前記奥行きゲージ５及び前記紙押さえ６は、本実施形態では一体に設けられている。より具体的には、図１、図２、図４〜図８及び図１０に示すように、これら奥行きゲージ５と紙押さえ６とは、樹脂製の同一の部材である用紙位置決め部材４の基端側及び先端側にそれぞれ形成されている。
【００２７】
前記奥行きゲージ５は、図１、図２、図４〜図８及び図１０に示すように、前記用紙テーブル１２の上面１２ａから起立するように配しており紙葉類Ｐの端縁を衝き当てて紙葉類Ｐの位置決めを行うための位置決め部５１と、この位置決め部５１の左右両端にそれぞれ設けられ該位置決め部５１を前後移動させる際の操作力を受け付けるつまみ部５２と、このつまみ部５２の下端に設けられ前記ベース１１に設けた節度凹部１１ｘと弾性係合することにより前記位置決め部５１の前後方向の位置決めを行うための節度突起５３と、前記位置決め部５１の下面から垂下し前記ベース１１に設けた案内レール溝１２ｃ内を移動可能な案内突起５４とを備えている。より具体的には、前記位置決め部５１のアンビル１４側を向く面である紙葉類当接面５１ａが紙葉類Ｐに優先的に衝き当たるように構成していて、この紙葉類当接面５１ａに紙葉類Ｐを衝き当てることにより紙葉類Ｐの位置決めを行うようにしている。また、前記節度突起５３と前記節度凹部１１ｘとは、互いに係合することによりこの奥行きゲージ５を複数箇所の取付位置のいずれかに選択的に係止させるための節度機構Ｋを形成する。
【００２８】
前記紙押さえ６は、図１〜図３、図５〜図８及び図１０に示すように、前記奥行きゲージ５から前方に突出して棒状部６２が設けられており、その上面６ａが前記ベース１１の下面と平行であるとともに、先端部からは、前記用紙テーブル１２の上面１２ａに紙葉類を挟んで当接する下面６ｂを備えた用紙押さえ突起６１を垂下させて設けている。また、この紙押さえ６は上述したように樹脂製の部材である用紙位置決め部材４の一部であり、弾性変形することにより上方すなわち前記用紙テーブル１２から離間する方向に退避可能である。そして、紙葉類Ｐを用紙テーブル１２に添接させた状態では、この用紙押さえ突起６１により、該紙葉類Ｐの折り曲げ稜線Ｐａを挟んで両側がそれぞれ押圧される。
【００２９】
本実施形態に係るステープラＳを用いて予め折り曲げ稜線１２ｂに沿って折り曲げた紙葉類Ｐを綴じ冊子を形成する場合の手順を以下に示す。まず、図９に示すように、アンビル１４及びステープル打ち出しユニット２を第２の姿勢とする。次いで、同図に示すように、冊子にすべき紙葉類Ｐの折り曲げ稜線Ｐａを用紙テーブル１２の稜線１２ｂに一致するように対向させた状態で、該紙葉類Ｐを紙押さえ６と用紙テーブル１２との間の空間に挿入する。なお、紙葉類Ｐの枚数が多い場合は、紙押さえ６を弾性変形させて用紙テーブル１２との間の空間を拡開させてから該空間に紙葉類Ｐを挿入する。それから、紙葉類Ｐの一端縁を奥行きゲージ５の位置決め部５１の紙葉類当接面５１ａに衝き当てる。そして、図１０に示すように、ハンドル３に操作力を加えてステープル打ち出しユニット２とステープル受けユニット１とを接近させてステープルを紙葉類Ｐに打ち込む。このような操作を行うことにより、紙葉類Ｐの折り曲げ稜線Ｐａ上にステープルが配され、このステープルにより紙葉類Ｐが綴じられて冊子が形成される。
【００３０】
一方、本実施形態に係るステープラＳを通常のステープラとして使用する場合は、アンビル１４及びステープル打ち出しユニット２を図１〜図４に示すような第１の姿勢とし、紙押さえ６の上面６ａに綴じるべき紙葉類Ｐを配した後、図６に示すように、ハンドル３に操作力を加えてステープル打ち出しユニット２とステープル受けユニット１とを接近させてステープルを紙葉類Ｐに打ち込む操作を行う。このとき、紙押さえ６の上面６ａが通常のステープラの用紙テーブルとして機能する。
【００３１】
以上に述べたように、本実施形態の構成によれば、奥行きゲージ５と紙押さえ６とを一体的に移動させ、紙押さえ６と用紙テーブル１２との間の空間に紙葉類Ｐを配し、その紙葉類Ｐを奥行きゲージ５に衝き当てる一連の動作により、紙葉類Ｐを紙押さえ６により用紙テーブル１２に向けて押圧させた状態で紙葉類Ｐとアンビル１４との間の位置決めを容易に行うことができる。しかも紙葉類Ｐを紙押さえ６により用紙テーブル１２に向けて押圧させた状態でステープルを打ち込む動作を行うことにより、このステープラＳを把持して前記動作を行った場合であってもステープルを所望の位置に打ち込む動作を確実に行うことができる。
【００３２】
また、前記用紙テーブル１２の上面１２ａが、予め設定した折り曲げ稜線Ｐａに沿って折り曲げられた前記紙葉類Ｐの折り曲げ稜線Ｐａが対向する稜線１２ｂを備えているとともに、前記紙押さえ６が前記用紙テーブル１２に添接させた前記紙葉類Ｐの折り曲げ稜線Ｐａを挟んでその両側を押圧可能であるので、予め折り曲げ稜線Ｐａを形成した紙葉類Ｐを綴じて冊子を形成する場合に、より確実に用紙の折り曲げ稜線Ｐａの位置決めを行うことができる。
【００３３】
さらに、前記ステープル受けユニット１と前記奥行きゲージ５との間に、前記奥行きゲージ５を複数箇所の取付位置のいずれかに選択的に係止させるための節度機構Ｋを設けているので、前記奥行きゲージ５の前記ステープル受けユニット１に対する位置決めを容易に行うことができる。
【００３４】
加えて、前記ステープル打ち出しユニット２及びアンビル１４が、前記用紙テーブル１２の長手方向に直交する方向でステープルを打ち出してかしめる第１の姿勢と、前記用紙テーブル１２の長手方向に平行な方向でステープルを打ち出してかしめる第２の姿勢とを選択的にとることができるので、このようなステープラＳを、冊子を形成するためだけでなく紙葉類Ｐの主に隅部にステープルを打ち込むことにより紙葉類Ｐを綴じる通常のステープラＳとしても好適に利用できる。
【００３５】
そして、前記紙押さえ６が、弾性変形することにより用紙テーブル１２から離間する方向に退避可能であるので、このようなステープラＳを利用して多数の紙葉類Ｐを綴じて冊子を形成することができる。
【００３６】
なお、本発明は以上に述べたような実施形態に限らない。
【００３７】
例えば、奥行きゲージとステープル受けユニットとの間の節度機構は省略してよい。この場合、ステープルを打ち込むべき箇所の調整を容易に行えるようにするには、ステープル受けユニットにアンビルと奥行きゲージとの間の距離を示す目盛を設けるとよい。このような態様を採用した場合、奥行きゲージ（及びこの奥行きゲージと一体的に設けた紙押さえ）とステープル受けユニットとの間の相対位置の位置決めを行う手段の一例として、奥行きゲージに設けた雌ねじ部に雄ねじ部材を螺着し、その先端をステープル受けユニットに圧着する構成のもの等が考えられる。
【００３８】
また、奥行きゲージと紙押さえとを一体に構成する代わりに、奥行きゲージと別体に形成した紙押さえを、該奥行きゲージと一体的に移動可能な状態で取り付ける態様を採用してもよい。この場合、紙押さえは奥行きゲージに対して着脱可能なものであってもよい。
【００３９】
さらに、紙押さえが、紙葉類の折り曲げ稜線を挟んで一方側のみを押圧可能なものであってもよく、折り曲げ稜線上のみを押圧可能なものであってもよい。
【００４０】
加えて、予め折り曲げ稜線を形成した紙葉類を綴じて冊子を形成する用途のみに本発明のステープラを使用する場合は、ステープル打ち出しユニット及びアンビルを、用紙テーブルの長手方向に平行な方向でステープルを打ち出してかしめる姿勢に固定するようにしてもよい。この場合、紙押さえの上面は必ずしもステープル打ち出しユニットと平行である必要はない。
【００４１】
そして、上述した実施形態では、一体的に設けられた前記奥行きゲージと前記紙押さえとの取付位置を変更可能にしているが、これら奥行きゲージと紙押さえとをステープル受けユニットに相対位置を変更不能に設けるものであってもよい。この場合、紙葉類上において奥行きゲージを衝き当てるべき端縁とステープルの打針位置との間の距離を常に一定にできる。
【００４２】
その他、本発明の趣旨を損ねない範囲で種々に変形してよい。
【符号の説明】
【００４３】
Ｓ…ステープラ
１…ステープル受けユニット
１２…用紙テーブル
１２ａ…用紙テーブルの上面
１４…アンビル
２…ステープル打ち出しユニット
２１…マガジン
２２…押刃
５…奥行きゲージ
６…紙押さえ
【図１】
0005853324.tif 000002
【図２】
0005853324.tif 000003
【図３】
0005853324.tif 000004
【図４】
0005853324.tif 000005
【図５】
0005853324.tif 000006
【図６】
0005853324.tif 000007
【図７】
0005853324.tif 000008
【図８】
0005853324.tif 000009
【図９】
0005853324.tif 000010
【図１０】
0005853324.tif 000011